【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
光学像を投影する投影装置との間で通信を行う通信手段と、
前記通信手段によって前記投影装置との間で通信を行う場合、通常機能より広範囲で前記投影装置を動作させる投影補助手段とを備えることを特徴とする投影装置用補助装置。
【請求項２】
請求項１に記載の投影装置用補助装置において、
音声再生装置をさらに備え、
前記投影補助手段は、
前記通信によって前記投影装置から取得した音声信号を再生するように前記音声再生装置を制御することを特徴とする投影装置用補助装置。
【請求項３】
光学像を投影する投影手段、投影装置用補助装置との間で通信を行う第１通信手段、および前記第１通信手段によって前記投影装置用補助装置との間で通信を行う場合、通常機能より広範囲で前記投影手段を動作させる投影制御手段を有する投影装置と、
前記投影装置との間で通信を行う第２通信手段、および前記第２通信手段によって前記投影装置との間で通信を行う場合、通常機能より広範囲で前記投影装置を動作させる投影補助手段を有する投影装置用補助装置とを備えることを特徴とする投影システム。
【請求項４】
請求項３に記載の投影システムにおいて、
前記投影制御手段は、前記通信によって前記投影装置用補助装置から取得した制御信号に応じて投影輝度を高めるように前記投影手段を制御することを特徴とする投影システム。
【請求項５】
請求項３または４に記載の投影システムにおいて、
前記投影制御手段は、前記投影装置用補助装置から取得する画像データによる再生像を前記投影手段に投影させる場合、要求信号を前記第１通信手段から前記投影装置用補助装置へ送信させ、前記要求信号に応じて前記投影装置用補助装置から送信され、前記第１通信手段で受信した画像データによる再生像を前記投影手段に投影させることを特徴とする投影システム。
【請求項６】
請求項３または４に記載の投影システムにおいて、
前記投影制御手段は、前記投影装置用補助装置との間で通信を行う場合、音声信号を前記第１通信手段から前記投影装置用補助装置へ送信させることを特徴とする投影システム
【請求項７】
請求項１または２に記載の投影装置用補助装置において、
データ読出し装置をさらに備え、
前記投影補助手段は、
前記通信手段によって前記投影装置から取得した要求信号に応じて記録媒体から読出した画像データを前記投影装置へ送信するように前記データ読出し装置および前記通信手段をそれぞれ制御することを特徴とする投影装置用補助装置。
【請求項８】
請求項１、２、および７のいずれか一項に記載の投影装置用補助装置において、
操作部材をさらに備え、
前記投影補助手段は、
前記操作部材から出力される操作信号に応じてフォーカス調節指示信号を前記投影装置へ送信するように前記通信手段を制御することを特徴とする投影装置用補助装置。
【請求項９】
請求項１、２、７および８のいずれか一項に記載の投影装置用補助装置において、
電源供給手段をさらに備え、
前記投影補助手段は、
前記投影装置へ電源を供給するように前記電源供給手段を制御することを特徴とする投影装置用補助装置。
【請求項１０】
請求項１、２、７〜９のいずれか一項に記載の投影装置用補助装置において、
前記投影補助手段は、
投影輝度を高める制御信号を前記投影装置へ送信するように前記通信手段を制御することを特徴とする投影装置用補助装置。
【請求項１１】
請求項９に記載の投影装置用補助装置において、
前記投影補助手段は、
前記電源供給手段による前記投影装置への供給電流が、前記投影装置が単体で使用されるときの投影輝度よりも高くなるように制御することを特徴とする投影装置用補助装置。
【請求項１２】
請求項９に記載の投影装置用補助装置において、
バッテリーをさらに備え、
前記投影補助手段は、
前記電源供給手段により検出された前記バッテリーの残容量が所定値を下回ると、前記投影装置への電流の供給を停止するよう前記電源供給手段を制御することを特徴とする投影装置用補助装置。
【手続補正２】
【補正対象書類名】明細書
【補正対象項目名】０００５
【補正方法】変更
【補正の内容】
【０００５】
（１）本発明による投影装置用補助装置は、光学像を投影する投影装置との間で通信を行う通信手段と、通信手段によって投影装置との間で通信を行う場合、通常機能より広範囲で投影装置を動作させる投影補助手段とを備えることを特徴とする。
（２）請求項１に記載の投影装置用補助装置はさらに、音声再生装置を備えてもよい。この場合の投影補助手段は、通信によって投影装置から取得した音声信号を再生するように音声再生装置を制御することができる。
（３）本発明による投影システムは、光学像を投影する投影手段、投影装置用補助装置との間で通信を行う第１通信手段、および第１通信手段によって投影装置用補助装置との間で通信を行う場合、通常機能より広範囲で投影手段を動作させる投影制御手段を有する投影装置と、投影装置との間で通信を行う第２通信手段、および第２通信手段によって投影装置との間で通信を行う場合、通常機能より広範囲で投影装置を動作させる投影補助手段を有する投影装置用補助装置とを備えることを特徴とする。
（４）請求項３に記載の投影システムにおいて、投影制御手段は、通信によって投影装置用補助装置から取得した制御信号に応じて投影輝度を高めるように投影手段を制御することもできる。
（５）請求項３または４に記載の投影システムにおいて、投影制御手段は、投影装置用補助装置から取得する画像データによる再生像を投影手段に投影させる場合、要求信号を第１通信手段から投影装置用補助装置へ送信させ、要求信号に応じて投影装置用補助装置から送信され、第１通信手段で受信した画像データによる再生像を投影手段に投影させることもできる。
（６）請求項３または４に記載の投影システムにおいて、投影制御手段は、投影装置用補助装置との間で通信を行う場合、音声信号を第１通信手段から投影装置用補助装置へ送信させることもできる。
（７）請求項１または２に記載の投影装置用補助装置はさらに、データ読出し装置を備えてもよい。この場合の投影補助手段は、通信手段によって投影装置から取得した要求信号に応じて記録媒体から読出した画像データを投影装置へ送信するようにデータ読出し装置および通信手段をそれぞれ制御することもできる。
（８）請求項１、２、および７のいずれか一項に記載の投影装置用補助装置はさらに、操作部材を備えてもよい。この場合の投影補助手段は、操作部材から出力される操作信号に応じてフォーカス調節指示信号を投影装置へ送信するように通信手段を制御することもできる。
（９）請求項１、２、７および８のいずれか一項に記載の投影装置用補助装置はさらに、電源供給手段を備えてもよい。この場合の投影補助手段は、投影装置へ電源を供給するように電源供給手段を制御することもできる。
（１０）請求項１、２、７〜９のいずれか一項に記載の投影装置用補助装置において、投影補助手段は、投影輝度を高める制御信号を投影装置へ送信するように通信手段を制御することもできる。
（１１）請求項９に記載の投影装置用補助装置において、投影補助手段は、電源供給手段による投影装置への供給電流が、投影装置が単体で使用されるときの投影輝度よりも高くなるように制御することもできる。
（１２）請求項９に記載の投影装置用補助装置はさらに、バッテリーを備えてもよい。この場合の投影補助手段は、電源供給手段により検出されたバッテリーの残容量が所定値を下回ると、投影装置への電流の供給を停止するよう電源供給手段を制御することもできる。